(57)【要約】【課題】振動や磁力による不正行為を効果的に防止することができる遊技機を提供すること。【解決手段】この遊技機は、遊技領域を有する遊技盤６と、遊技盤６及び第１透明部材１０ａを保持する第１遊技機枠３と、第１遊技機枠３の前方に配置され、第２透明部材１０ｂを保持する第２遊技機枠４と、第１遊技機枠３と第２遊技機枠４とを連結する連結部材４０と、を有しており、前後方向における第１透明部材１０ａと第２透明部材１０ｂとの間には、隙間Ｔ２が形成されている。【選択図】図２
2011135991.tif 000002
【特許請求の範囲】
【請求項１】
遊技球の流下による遊技を実現する遊技領域が設けられた遊技盤と、
該遊技盤を保持する第１遊技機枠と、
該第１遊技機枠の前方に配置された第２遊技機枠と、
該第１遊技機枠と該第２遊技機枠とを連結する連結部材と、を有する遊技機であって、
前記第１遊技機枠には、前記遊技領域に向けて前記遊技球を発射する発射装置、遊技者に向けて該遊技球を供給する賞球払出装置、及び該遊技領域の前方を覆う第１透明部材が装着されており、
前記第２遊技機枠には、遊技者が該遊技球を発射操作する発射ハンドル、該賞球払出装置から供給された該遊技球を貯留する貯留皿、前記第１透明部材の前方に配置された第２透明部材が装着されており、
前後方向における該第１透明部材と該第２透明部材との間には、隙間が設けられている、遊技機。
【請求項２】
前記連結部材は、前記第２遊技機枠に対する衝撃を吸収する衝撃吸収構造を有している、請求項１に記載の遊技機。
【発明の詳細な説明】
【技術分野】
【０００１】
本発明は、前後方向に離間して配置された複数の遊技機枠を有する遊技機に関する。
【背景技術】
【０００２】
パチンコ機においては、弾球された遊技球が遊技領域（遊技盤面上又はその近傍に形成された領域であって、遊技球の流下による遊技や演出を実現するための領域。）を流下して、その流下の過程で遊技球が遊技領域内の遊技釘や羽根車に衝突しつつ転回して流下方向が変化する。その結果、遊技領域上に配置された各種入賞口に遊技球が入賞すれば所定の賞球の払出しがされ、一方いずれの入賞口にも入賞せずアウト口に遊技球が流入すれば賞球の払出しはされない。遊技者は、弾球における自らの技量を発揮して、又は遊技球の流下における偶然性を利用しつつ遊技球の入賞及び賞球の払出しを期待し、遊技を楽しむのである。
【０００３】
遊技者は、パチンコ機において大当りに入賞すると、多くの遊技媒体の払出しを得ることができるため、大当りとなることを期待して遊技を行う。この大当りの態様として、一般的に第１の特別遊技（１種大当り又は図柄変動大当りともいう。）と第２の特別遊技（２種大当り又は役物大当りともいう。）とが存在しており、各大当りを個別に実現可能な１種タイプ及び２種タイプのパチンコ機や、いずれの大当り態様も実現可能な１種２種タイプのパチンコ機が概念できる。
【０００４】
第２の特別遊技は、所定の入賞口への遊技球の入賞に基づいて２種大入賞口が所定時間開放することで発生し（第２の特別遊技の第一段階）、２種大入賞口が所定時間開放した際に、２種大入賞口内に流入した遊技球が特定の領域を通過するか否かによって第２の特別遊技が継続するか否かを抽選する。遊技球が特定の領域を通過すると、第２の特別遊技の継続が確定して、遊技者は多くの遊技球の払出しを得ることができる。
【０００５】
第２の特別遊技が継続するか否かの抽選は、例えば２種大入賞口内に配置された抽選部材によって行われる。この抽選部材は、遊技球が通過可能な複数の領域を有しており、そのうちいずれの領域を遊技球が通過するかによって当否を決定する。この抽選は２種大入賞口に入賞した遊技球の物理的な動きによって当否が決まる。
【０００６】
このような物理的な遊技球の動きによって当否が決定する遊技機においては、遊技機に対して振動を加えたり磁石を用いて磁力を加えたりすることによって、不正に遊技球の軌道を変化させる不正行為がなされることがある。このような問題に鑑みて、特許文献１から特許文献３には、遊技球の軌道を不正に変化させるような不正行為を防止する遊技機が記載されている。
【０００７】
例えば、特許文献１に記載の遊技機は、遊技機に対する振動を検出する振動センサを備えており、振動センサによって振動に基づく不正行為を検出することができるように構成されている。また、特許文献２に記載の遊技機は、磁力と振動との両方を検出可能なセンサを備えており、このセンサによって磁力や振動に基づく不正行為を検出することができるように構成されている。
【０００８】
また、特許文献３に記載の遊技機は、不正行為によって衝撃を受けることが多い外装部材と遊技盤との間に衝撃を緩和する部材を設けており、外装部材から遊技盤へ伝達する衝撃を減衰させるように構成されている。
【先行技術文献】
【特許文献】
【０００９】
【特許文献１】特開２００８−２７８９９８号公報
【特許文献２】特開２００９−８２２０２号公報
【特許文献３】特開２００９−１７８２１８号公報
【発明の概要】
【発明が解決しようとする課題】
【００１０】
しかし、特許文献１及び特許文献２に記載の遊技機は、遊技者が誤って遊技機に触れて振動を付与してしまった場合においても振動を検出してしまうことがあり、誤検出のおそれがある。また、特許文献３に記載の遊技機は、外装部材と遊技盤との間に衝撃を緩和する部材を設けることにより、遊技盤に対する衝撃を減衰させることはできるが、比較的強い衝撃が外装部材に加えられた場合には、遊技盤に対して衝撃が伝達してしまうことがあり、不正行為を防ぐことができないおそれがある。
【００１１】
本発明は、上記問題に鑑みてなされたものであり、振動や磁力による不正行為を効果的に防止することができる遊技機を提供することを例示的課題とする。
【課題を解決するための手段】
【００１２】
本発明の例示的な側面としての遊技機は、遊技球の流下による遊技を実現する遊技領域を有する遊技盤と、遊技盤を保持する第１遊技機枠と、第１遊技機枠の前方に配置された第２遊技機枠と、第１遊技機枠と第２遊技機枠とを連結する連結部材と、を有しており、第１遊技機枠には、遊技領域に向けて遊技球を発射する発射装置、遊技者に向けて遊技球を供給する賞球払出装置、及び遊技領域の前方を覆う第１透明部材が装着されており、第２遊技機枠には、遊技者が該遊技球を発射操作する発射ハンドル、賞球払出装置から供給された該遊技球を貯留する貯留皿、及び第１透明部材の前方に配置された第２透明部材が装着されており、前後方向における第１透明部材と第２透明部材との間には、隙間が設けられている。
【００１３】
本発明に係る遊技機は、遊技領域に向けて遊技球を発射する発射装置、遊技者に向けて遊技球を供給する賞球払出装置、及び遊技領域の前方を覆う第１透明部材が装着された第１遊技機枠と、技者が該遊技球を発射操作する発射ハンドル、賞球払出装置から供給された該遊技球を貯留する貯留皿、及び第１透明部材の前方に配置された第２透明部材が装着された第２遊技機枠と、を有しており、前後方向における第１透明部材と第２透明部材との間には、隙間が設けられている。
【００１４】
不正行為者が振動や磁力による不正を行う場合には、前方に配置された第２遊技機枠に対して行う。一方、不正行為の対象となる遊技領域は、第１遊技機枠に装着された遊技盤に設けられており、第１遊技機枠に装着された第１透明部材と第２遊技機枠に装着された第２透明部材との間には隙間が形成されている。
【００１５】
したがって、第２遊技機枠の第２透明部材に対して振動が付与された場合に、第２透明部材に加えられた振動が、第１透明部材が装着された第１透明部材に伝達することを防ぐことができ、遊技領域が設けられた遊技盤に振動が付与されることを防ぐことができる。また、第２遊技機枠の第２透明部材に対して磁石等による磁力が加えられた場合であっても、磁力の発生源と遊技領域との距離を比較的長く設けることができるため、遊技領域に対する磁力の影響を低減することができる。
【００１６】
このように、第１遊技機枠に装着された第１透明部材と、第２透明部材に装着された第２遊技機枠と、を前後方向において離間して設けることにより、振動や磁力によって遊技球の軌跡を不正に変化させる不正行為を未然に防ぐことができ、遊技者に対して公平な遊技を提供することができる。
【００１７】
不正行為者が遊技領域に対して振動や磁力による不正を行う場合は、遊技領域の前方を覆う透明部材の前方から行う。このとき、第２透明部材と、第１遊技機枠に保持された遊技盤と、の距離を十分に確保することにより、振動や磁力の遊技領域への悪影響を最小限に抑えることができる。
【００１８】
また、第１遊技機枠には、遊技領域に向けて遊技球を発射する発射装置と、遊技者に向けて遊技球を供給する賞球払出装置と、が装着されており、第２遊技機枠には、遊技球の発射を遊技者が操作する発射ハンドルと、賞球払出装置から供給された遊技球を貯留する貯留皿と、が設けられている。
【００１９】
遊技者側（前方）に配置された第２遊技機枠に発射ハンドルや賞球払出装置から供給された遊技球を貯留する貯留皿を設けることにより、遊技者が操作する部品を遊技者の近くに配置することができ、遊技者の操作性が低下することを防ぐことができる。一方、遊技者が直接操作しない部品であって、遊技球を扱う発射装置や賞球払出装置を第１遊技機枠に設けることにより、発射装置や賞球払出装置といった遊技球を扱う部品を後方に配置することができ、これらの部品に対する不正行為を防止することができる。
【００２０】
なお、発射装置や賞球払出装置に対する不正行為とは、振動や磁力を用いた不正行為だけでなく、不正具等を遊技機枠に挿入することにより不正に遊技球を払い出させる不正行為を含む概念である。
【００２１】
連結部材は、第２遊技機枠に対する衝撃を吸収する衝撃吸収構造を有していてもよい。前方に配置された第２遊技機枠を後方に配置された第１遊技機枠と離間して配置することにより、第２遊技機枠に対して付与された振動が第１遊技機枠に伝達することを防ぐことができる。しかし、第１遊技機枠と第２遊技機枠との連結態様によっては、連結部材を介して第２遊技機枠に対して付与された振動が第１遊技機枠に伝達するおそれがある。
【００２２】
しかし、第２遊技機枠に対する衝撃を吸収する衝撃吸収構造を連結部材に設けることにより、第２遊技機枠に対して付与された振動を連結部材によって吸収したり、減衰させたりして、第１遊技機枠に対する悪影響を更に効果的に低減することが可能となる。
【００２３】
なお、衝撃吸収構造とは、ゴムやバネ等の弾性部材のみによって構成してもよいし、弾性部材と併せてショックアブソーバー（ダンパー）を設けて構成してもよいし、一部を破損させ易く構成し、破損させることにより衝撃を吸収するように構成してもよい。
【００２４】
連結部材は、第１遊技機枠と第２遊技機枠とを着脱自在に連結するように構成されていてもよい。第１遊技機枠の前方に第２遊技機枠が配置されているため、遊技機の前方から第１遊技機枠への不正アクセスを阻止することができる。しかし、メンテナンス等において第１遊技機枠にアクセスしなければならないことがある。連結部材を着脱自在に構成することにより、第１遊技機枠と第２遊技機枠とを容易に分離させることができ、第１遊技機枠の後方に配置された第２遊技機枠へのアクセスを容易に行うことが可能となる。
【００２５】
本発明の更なる目的又はその他の特徴は、以下添付図面を参照して説明される好ましい実施の形態によって明らかにされるであろう。
【発明の効果】
【００２６】
本発明によれば、第１遊技機枠に装着された第１透明部材と第２遊技機枠に装着された第２透明部材とを前後方向において離間して設けることにより、第２透明部材に対して振動が付与された場合に、第２透明部材に加えられた振動が第１透明部材に伝達することを防ぐことができる。したがって、第１透明部材を介して遊技盤に振動が付与されることを防ぐことができる。
【００２７】
また、第２遊技機枠に対して磁石等による磁力が加えられた場合であっても、磁力の発生源と遊技領域との距離を比較的長く設けることができるため、遊技領域に対する磁力の影響を低減することができる。したがって、振動や磁力によって遊技球の軌跡を不正に変化させる不正行為を未然に防ぐことができ、遊技者に対して公平な遊技を提供することができる。
【００２８】
また、第１遊技機枠と第２遊技機枠とを連結する連結部材に、第２遊技機枠に対する衝撃を吸収する衝撃吸収構造を設けることにより、第２遊技機枠に対して付与された振動を連結部材によって吸収したり、振動を減衰させたりして、第１遊技機枠に対する悪影響を更に効果的に低減することが可能となる。
【図面の簡単な説明】
【００２９】
【図１】本発明に係るパチンコ機の正面図である。
【図２】図１に示すパチンコ機の右側面図である。
【図３】図１に示すパチンコ機の平面図である。
【発明を実施するための形態】
【００３０】
以下、本発明の実施の形態について図面を用いて説明する。図１は、本発明の実施の形態に係るパチンコ機（遊技機）２の正面図であり、図２は、図１に示すパチンコ機２の右側面図である。図３は、図１に示すパチンコ機２の平面図である。なお、図２においては、説明の便宜上、後述する遊技盤６及びガラス１０を模式的に斜線を付して示している。
【００３１】
このパチンコ機２は、第１遊技機枠３、第２遊技機枠４と、遊技盤ユニット５、ガラス（透明部材）１０、発射ユニット（図示せず）、球皿１４等を有している。ガラス１０は、第１遊技機枠３に設けられた第１ガラス１０ａと、第２遊技機枠４に設けられた第２ガラス１０ｂと、によって構成されている。発射ユニットは、遊技球２３を遊技盤ユニット５に構成される遊技領域１６に向けて１球ずつ発射可能に構成されている。
【００３２】
パチンコ機２の左側方には、パチンコ機２に対して遊技球２３の貸出要求を行う遊技球貸出装置１００が配置されている。遊技球貸出装置１００は、遊技者の操作入力に応じてパチンコ機２に対して球貸出信号を送信する。パチンコ機２は、球貸出信号を受け取ることによって、後述する賞球払出装置６０によって遊技者に対して所定数の遊技球２３を払い出すように構成されており、遊技者は、払い出された遊技球２３を用いて遊技を行うことができる。
【００３３】
パチンコ機２は、遊技者が発射装置ハンドル１５を操作することによって、遊技領域１６に向けて遊技球２３が発射ユニットによって発射され、遊技球２３の流下による遊技が実現される。なお、遊技機は、パチンコ機２の他にパチンコ式スロットマシン機、コインゲーム機等のアーケードマシン、各種ゲーム機を概念することができ、要するに、遊技媒体の流下による遊技を実現する遊技領域を有するあらゆる遊技機が含まれる。
【００３４】
なお、パチンコ機においても、アレンジボール機、雀球機等の組合せ式パチンコ機、いわゆるデジパチタイプ（１種タイプ）やハネモノタイプ（２種タイプ）のパチンコ機等のあらゆるパチンコ機が概念できるが、本実施の形態においては、デジパチ遊技（１種遊技、図柄変動遊技ともいう。）を実現するいわゆる１種タイプのパチンコ機について例示説明する。なお、図柄変動遊技については後述する。
【００３５】
第１遊技機枠３は、略矩形の枠部材であり、後述する遊技盤ユニット５、各種制御基板、及び遊技球用の経路、遊技盤ユニット５に設けられた遊技領域１６の前方を覆う第１ガラス（第１透明部材）１０ａ等を保持している。第２遊技機枠４は、略矩形の枠部材であり、第１遊技機枠３の前方に配置されている。第２遊技機枠４は、第２ガラス（第２透明部材）１０ｂ及びその周囲を装飾する装飾部材３２等を保持している。
【００３６】
第１遊技機枠３と第２遊技機枠４とは、前後方向において離間して配置されており、その間には隙間Ｔ１が設けられている。また、第１遊技機枠３に装着された第１ガラス１０ａと、第２遊技機枠４に装着された第２ガラス１０ｂと、は、前後方向に離間して配置されており、その間には隙間Ｔ２が設けられている。
【００３７】
第１遊技機枠３に装着された遊技盤ユニット５は、遊技盤面（遊技盤の表面）６ａ側の略中央に遊技役物としてのセンター役物７が配置された遊技盤６を有しており、その遊技盤面６ａには多数の遊技釘２７も配置されている。センター役物７の中央部には、画像表示手段としての演出表示装置７ａが配置されるとともに、この演出表示装置７ａの表示部７ｂを露出させるための表示開口部７ｄが形成されている。
【００３８】
遊技盤６は、その表面側に遊技球２３の流下による遊技を実現するための遊技領域１６を構成するための盤状部材であり、遊技盤６を前方から遊技者にとって視認可能となるように第１遊技機枠３に装着されている。遊技盤面６ａには、遊技領域１６を囲むようレール部材２６が取り付けられており、発射ユニットによって遊技領域１６に向けて発射された遊技球２３は、レール部材２６に沿って遊技領域１６に導かれる。
【００３９】
遊技釘２７は、遊技領域１６を流下する遊技球２３と衝突してその流下方向を変更させる流下変更部材であり、多数が遊技領域１６内に配置されている。また、遊技領域１６には、始動入賞口２９、大入賞口３１等の入球部材及びアウト口３０が配置されている。更に、遊技領域１６には、ゲート３３、風車３４等が配置されており、流下する遊技球２３が各入球部材に流入したり、ゲート３３を通過したり、風車３４を回転させたりすることによって、遊技球２３による流下遊技を楽しむことができるようになっている。
【００４０】
演出表示装置７ａは、例えば、液晶表示装置・有機ＥＬディスプレイ・ＬＥＤ等により構成されて遊技者が遊技盤面６ａ側から視認可能となるように配置され、その表示部７ｂ上に映像表示を行うものである。この演出表示装置７ａの表示部７ｂには、第１図柄に連動する第１装飾図柄の表示がなされる。第１装飾図柄は、第１抽選手段の抽選結果を視覚的に演出するための図柄であり、第１の遊技に対応する。また、例えば、キャラクター等によるストーリー仕立ての映像としての演出映像も表示部７ｂ上に表示されるようになっている。演出表示装置７ａには、遊技制御手段としての演出制御基板が中継基板を介して電気的に接続されており、演出制御基板によって画像表示が制御される。
【００４１】
遊技盤６の裏面側には、パチンコ機２の全体の制御を行う遊技制御手段としての主制御基板を収容した主制御基板ケースと、演出表示装置７ａの画像表示の制御等を行う演出制御基板を収容した演出制御基板ケースと、賞球払出装置６０による賞球の払出しを制御する払出制御基板を収容した払出制御基板ケースと、電源基板を収容した電源基板ケースと、が配置されている。この各制御基板ケースに収容された各制御基板によって遊技が実現される。更に、遊技盤６の裏面側には、パチンコ機２の遊技状態等の遊技情報を外部に出力するための外部出力端子板が設けられている。
【００４２】
また、遊技盤６の裏面側には、パチンコ機２が設置されるホールの設備から供給された遊技球２３を一時的に貯留するための遊技球貯留タンク５６（図３参照）と、球貯留タンク５６からの遊技球２３が流入し、この遊技球２３を１球ずつ球皿１４に向けて通過させる賞球払出装置６０（図３参照）と、が設けられている。賞球払出装置６０は、払出制基板によって駆動制御されるように構成されており、各種入賞口への遊技球２３の入球や、遊技球貸出装置１００からの遊技球２３の貸出し要求に応じて、遊技者に遊技球２３を払い出すように構成されている。
【００４３】
第１遊技機枠３の下方には、遊技盤面６ａに形成された遊技領域１６に向けて遊技球２３を弾球する発射ユニットが設けられている。発射ユニットは、球送り装置（不図示）によって球皿１４の一部としての上球皿１４ａから発射位置に送り出された遊技球２３を遊技領域１６の上部に向けて発射（弾球）する。
【００４４】
ガラス１０は、遊技盤６に対して一定距離以上離間して配置された透明板であり、遊技盤６との間に遊技球２３が流下する流下空間を形成する機能、遊技者がガラス１０を通して遊技盤６を視認できるように視認性を確保する機能、遊技者が遊技盤６に不正にアクセス（接触）できないように不正アクセスを防止する機能、を発揮する。
【００４５】
第１遊技機枠３には、遊技領域１６の前方を覆うように配置された第１ガラス１０ａが装着されている。また、第２遊技機枠４にも、第２ガラス１０ｂが装着されている。このように、複数の遊技機枠にそれぞれガラスを装着することにより、遊技盤６を前方から遊技者が視認する視認性を確保しつつ、遊技盤６への不正アクセスを防止することができる。
【００４６】
例えば、第１遊技機枠３のみにガラスを設け、第２遊技機枠４にガラスを設けないと、ガラスの前面と遊技盤との距離が比較的短くなり、磁力による不正行為を防ぐことができないおそれがある。しかし、第２遊技機枠４に第２ガラス１０ｂを設けることにより、遊技盤６と第２ガラス１０ｂとの距離を比較的長くすることができ、磁力による不正行為を防ぐことができる。
【００４７】
第２遊技機枠４は、パチンコ機２の前面に配置されており、遊技者に向けて払い出された遊技球を貯留する球皿１４、遊技者が発射ユニットによる遊技球２３の発射操作を行うための発射ハンドルが装着されている。球皿１４は、遊技者の持ち球を貯留するためにパチンコ機２の前面に配置された皿部材であって、本実施の形態においては上球皿１４ａと下球皿１４ｂとを有している。上球皿１４ａは、球抜き部材１４ｃを有して遊技盤６の下方に配置され、下球皿１４ｂは、その上球皿１４ａの更に下方に配置されている。
【００４８】
第１遊技機枠３と第２遊技機枠４は、連結部材４０によって着脱自在に連結されている。連結部材４０は、左側の上下２箇所と右側の上下２箇所の計４箇所に設けられている。連結部材４０は、前方に配置された第２遊技機枠４に対して加えられた衝撃を吸収する衝撃吸収構造を備えている。衝撃吸収構造は、衝撃を変形により吸収する弾性部材としてのバネ部４１と、衝撃を緩和するダンパー４２と、から構成されている。
【００４９】
このように構成されたパチンコ機２においては、第２遊技機枠４に対する衝撃を連結部材４０によって吸収することができ、かつ第２遊技機枠４と第１遊技機枠３との間に隙間Ｔ１が設けられているため、不正行為者によってパチンコ機２に衝撃が付与された場合において、その衝撃を第２遊技機枠４から第１遊技機枠３に直接伝達することを防ぐことができる。
【００５０】
また、第１遊技機枠３に装着された遊技盤６と、第２遊技機枠４に装着された第２ガラス１０ｂと、の距離は、１５０ｍｍであり、遊技者と遊技領域１６とを少なくとも１５０ｍｍ離すことができる。例えば、不正行為者が磁石を用いて遊技領域１６を流下する遊技球２３の動きを不正に変化させようした場合であっても、第２ガラス１０ｂと遊技盤面６ａとが離間しているため、遊技領域１６に対する磁力の影響を小さくして、磁力によって不正に遊技球２３が操作されることを防ぐことができる。
【００５１】
パチンコ機２は、遊技領域１６における遊技球２３の流下に基づく遊技を実現しており、遊技の結果によって賞球の払出し等の利益を遊技者が得ることができる。したがって、不正行為者は、遊技領域１６における遊技球２３の動きを操作して、不正に利益を得ようとする。本実施の形態に係るパチンコ機２によれば、隙間Ｔ１及び隙間Ｔ２を変化させることにより、不正行為の対象となる遊技領域１６と不正行為者との距離を適宜調整することができるため、遊技領域１６を流下する遊技球２３を始動入賞口２９や普通入賞口２８等の入球部材に不正に入球させたり、ゲート３３を不正に通過させたりする等の遊技球２３の操作を防止して、不正行為を効果的に防止することができる。
【００５２】
次いで、パチンコ機２における遊技球２３の移動態様について説明する。ホールの設備から供給された遊技球２３は、第１遊技機枠３の上部に配置された遊技球貯留タンク５６に貯留される。遊技球貯留タンク５６に貯留された遊技球２３は、遊技球貯留タンク５６を通過する過程で整列され、整列された状態で賞球払出装置６０に導かれる。賞球払出装置６０に導かれた遊技球２３は、１球ずつ球皿１４に向かって送り出される。
【００５３】
球皿１４に貯留された遊技球２３は、球送り装置を介して発射ユニットに１球ずつ導かれる。そして、発射ユニットによって遊技領域１６に向けて１球ずつ発射される。遊技領域１６に発射された遊技球２３は、遊技領域１６を流下し、ある遊技球２３は始動入賞口２９に流入し、ある遊技球２３はいずれの入球部材にも流入せずにアウト口３０に流入する。入球部材及びアウト口３０に流入した遊技球２３は、遊技盤６の後面側に導かれ、パチンコ機２の外部に排出される。
【００５４】
ここで、賞球払出装置６０及び発射ユニットは、第１遊技機枠３に配置されており、球皿１４は、第２遊技機枠４に配置されており、遊技球２３は、第１遊技機枠３と第２遊技機枠４との間を移動する。したがって、第１遊技機枠３と第２遊技機枠４との間には、遊技球２３を通過させる球通路５０が設けられている。
【００５５】
球通路５０は、賞球払出装置６０から上球皿１４ａに向けて遊技球２３を導く上球皿通路５１と、賞球払出装置６０から下球皿１４ｂに遊技球２３を導く下球皿通路５２と、上球皿１４ａから球送り装置に向けて遊技球を導く球送り通路５３と、を有する。このように球通路５０を設けることにより、第１遊技機枠３と第２遊技機枠４との間で円滑に遊技球２３を移動させることができる。
【００５６】
なお、球通路５０は、第１遊技機枠３から第２遊技機枠４に向けて又は第２遊技機枠４から第１遊技機枠３に向けて遊技球２３を導くことができるように構成されていればよく、第１遊技機枠３に装着されていてもよいし、第２遊技機枠４に装着されていてもよいし、第１遊技機枠３及び第２遊技機枠４の両方に装着されていてもよい。
【００５７】
以上、本発明の好ましい実施の形態を説明したが、本発明はこれらに限定されるものではなく、その要旨の範囲内で様々な変形や変更が可能である。
【符号の説明】
【００５８】
Ｔ１：第１遊技機枠と第２遊技機枠と間の隙間
Ｔ２：第１ガラスと第２ガラスとの間の隙間
２：パチンコ機（遊技機）
３：第１遊技機枠
４：第２遊技機枠
５：遊技盤ユニット
６：遊技盤
６ａ：遊技盤面（遊技盤の表面）
７：センター役物
７ａ：演出表示装置
７ｂ：表示部
７ｄ：表示開口部
１０：ガラス（透明部材）
１０ａ：第１ガラス（第１透明部材）
１０ｂ：第２ガラス（第２透明部材）
１４：球皿
１４ａ：上球皿
１４ｂ：下球皿
１４ｃ：球抜き部材
１５：発射装置ハンドル
１６：遊技領域
２３：遊技球
２６：レール部材
２７：遊技釘
２８：普通入賞口
２９：始動入賞口
３０：アウト口
３１：大入賞口
３２：装飾部材
３３：ゲート
３４：風車
４０：連結部材
４１：バネ部
４２：ダンパー
５０：球通路
５１：上球皿通路
５２：下球皿通路
５３：球送り通路
５６：遊技球貯留タンク
６０：賞球払出装置
１００：遊技球貸出装置
【図１】
2011135991.tif 000003
【図２】
2011135991.tif 000004
【図３】
2011135991.tif 000005